【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
陰圧療法システムにおいてプロテアーゼを調節するためのメッシュにおいて、
複数のコラーゲン繊維を有する犠牲基質であって、これらコラーゲン繊維が、支持材によって強化され、かつ互いに交差して、複数の開口部を有するコラーゲン繊維のネットワークを形成する、犠牲基質
を含み、
前記複数の開口部の前記開口部は、約０．２ｍｍ２〜約２０ｍｍ２の平均面積を有し、前記メッシュを通した陰圧の流れを可能にすることを特徴とする、メッシュ。
【請求項２】
請求項１に記載のメッシュにおいて、前記開口部は、全体的に円形であり、および約０．５ｍｍ〜約５．０ｍｍの平均直径を有することを特徴とする、メッシュ。
【請求項３】
請求項１に記載のメッシュにおいて、前記開口部は、全体的に円形であり、および約１ｍｍ〜約２．５ｍｍの平均直径を有することを特徴とする、メッシュ。
【請求項４】
請求項１に記載のメッシュにおいて、前記コラーゲン繊維の直径は約１ミリメートル未満であることを特徴とする、メッシュ。
【請求項５】
請求項１に記載のメッシュにおいて、前記コラーゲン繊維の直径は約１ミクロン〜５０ミクロンであることを特徴とする、メッシュ。
【請求項６】
請求項１に記載のメッシュにおいて、前記ネットワークの厚さは約５ミクロン〜約２ミリメートルであることを特徴とする、メッシュ。
【請求項７】
請求項１に記載のメッシュにおいて、前記ネットワークの厚さは約２５ミクロンであることを特徴とする、メッシュ。
【請求項８】
請求項１に記載のメッシュにおいて、前記コラーゲン繊維のコラーゲン含有量は、前記コラーゲン繊維の総材料の約１０％〜約５０％であることを特徴とする、メッシュ。
【請求項９】
請求項１に記載のメッシュにおいて、前記コラーゲン繊維は一連のコラーゲン要素を含むことを特徴とする、メッシュ。
【請求項１０】
請求項１に記載のメッシュにおいて、前記支持材が支持繊維を含むことを特徴とする、メッシュ。
【請求項１１】
請求項１０に記載のメッシュにおいて、前記支持繊維が、前記複数のコラーゲン繊維と撚り合わされることを特徴とする、メッシュ。
【請求項１２】
請求項１０に記載のメッシュにおいて、前記支持繊維が、別個のコラーゲン要素を支持して、前記複数のコラーゲン繊維を形成することを特徴とする、メッシュ。
【請求項１３】
請求項１に記載のメッシュにおいて、さらに、前記複数のコラーゲン繊維に動作可能に結合された複数の支持繊維を含むことを特徴とする、メッシュ。
【請求項１４】
請求項１３に記載のメッシュにおいて、前記複数の支持繊維および前記複数のコラーゲン繊維が、一緒に織られていることを特徴とする、メッシュ。
【請求項１５】
請求項１３に記載のメッシュにおいて、前記支持繊維が水溶性であることを特徴とする、メッシュ。
【請求項１６】
請求項１３に記載のメッシュにおいて、前記支持繊維が生分解性であることを特徴とする、メッシュ。
【請求項１７】
請求項１３に記載のメッシュにおいて、前記複数のコラーゲン繊維および前記複数の支持繊維のコラーゲン含有量は、前記犠牲基質の約１０％〜約５０％であることを特徴とする、メッシュ。
【請求項１８】
請求項１３に記載のメッシュにおいて、前記コラーゲン繊維および支持繊維が不織であることを特徴とする、メッシュ。
【請求項１９】
請求項１に記載のメッシュにおいて、前記コラーゲン繊維が：
コラーゲンから形成されたステープルファイバーと；
前記支持材から形成されたステープルファイバーと
を含み、
コラーゲンで形成された前記ステープルファイバーと、前記支持材で形成された前記ステープルファイバーとが、一緒に撚り合わされて、前記コラーゲン繊維を形成することを特徴とする、メッシュ。
【請求項２０】
請求項１９に記載のメッシュにおいて、前記支持材が、ポリエチレンオキシド、アルギン酸、ポリ乳酸、ポリビニルアルコール、ポリカプララクトン、およびポリアミドからなる群から選択された１つ以上を含むことを特徴とする、メッシュ。
【請求項２１】
請求項１９に記載のメッシュにおいて、コラーゲンから形成された前記ステープルファイバーの長さが、約４ｍｍ〜約６ｍｍであることを特徴とする、メッシュ。
【請求項２２】
請求項１９に記載のメッシュにおいて、前記コラーゲン繊維のコラーゲン含有量が、前記コラーゲン繊維の総材料の約１０％〜約５０％であることを特徴とする、メッシュ。
【請求項２３】
請求項１に記載のメッシュにおいて、さらに、前記コラーゲン繊維と交差して、前記複数の開口部を有する前記ネットワークを形成する、複数の酸化再生セルロース繊維を含むことを特徴とする、メッシュ。
【請求項２４】
請求項２３に記載のメッシュにおいて、前記メッシュの約４５％が酸化再生セルロース繊維を含むことを特徴とする、メッシュ。
【請求項２５】
請求項２３に記載のメッシュにおいて、前記メッシュの約５５％がコラーゲン繊維を含むことを特徴とする、メッシュ。
【請求項２６】
組織部位においてプロテアーゼを調節するための陰圧療法システムにおいて、前記システムは：
複数のコラーゲン繊維を含んでいて、これらコラーゲン繊維は、支持材によって強化され、かつ互いに交差して、複数の開口部を有するコラーゲン繊維のネットワークを形成する、調節層であって；
前記複数の開口部の前記開口部は、約０．５ｍｍ〜約５ｍｍの平均有効径を有し、前記メッシュを通る前記陰圧の流れを可能にする、調節層と；
前記ネットワークに隣接して位置決めされるように構成されたマニホールドと；
前記マニホールドおよび前記ネットワークの上側を覆って位置決めされかつ前記組織部位に隣接する組織に結合されて、密閉空間を形成するように構成されたカバーと；
前記マニホールドに流体的に結合されて、前記マニホールドおよび前記ネットワークを通して前記密閉空間に陰圧をもたらすように構成された陰圧源と
を含むことを特徴とする、システム。
【請求項２７】
請求項２６に記載のシステムにおいて、前記開口部の平均面積が約０．２ｍｍ２〜約２０．０ｍｍ２であることを特徴とする、システム。
【請求項２８】
請求項２６に記載のシステムにおいて、前記開口部が、全体的に円形であり、および約１ｍｍ〜約２．５ｍｍの平均直径を有することを特徴とする、システム。
【請求項２９】
請求項２６に記載のシステムにおいて、前記コラーゲン繊維の直径が約１ミリメートル未満であることを特徴とする、システム。
【請求項３０】
請求項２６に記載のシステムにおいて、前記コラーゲン繊維の直径が約１ミクロン〜５０ミクロンであることを特徴とする、システム。
【請求項３１】
請求項２６に記載のシステムにおいて、前記ネットワークの厚さが約５ミクロン〜約２ミリメートルであることを特徴とする、システム。
【請求項３２】
請求項２６に記載のシステムにおいて、前記ネットワークの厚さが約２５ミクロンであることを特徴とする、システム。
【請求項３３】
請求項２６に記載のシステムにおいて、前記コラーゲン繊維のコラーゲン含有量が、前記コラーゲン繊維の総材料の約１０％〜約５０％であることを特徴とする、システム。
【請求項３４】
請求項２６に記載のシステムにおいて、前記コラーゲン繊維が一連のコラーゲン要素を含むことを特徴とする、システム。
【請求項３５】
請求項２６に記載のシステムにおいて、前記支持材が支持繊維を含むことを特徴とする、システム。
【請求項３６】
請求項３５に記載のシステムにおいて、前記支持繊維が前記複数のコラーゲン繊維と撚り合わされることを特徴とする、システム。
【請求項３７】
請求項３５に記載のシステムにおいて、前記支持繊維が、別個のコラーゲン要素を支持して、前記複数のコラーゲン繊維を形成することを特徴とする、システム。
【請求項３８】
請求項３７に記載のシステムにおいて、さらに、前記複数のコラーゲン繊維に動作可能に結合された複数の支持繊維を含むことを特徴とする、システム。
【請求項３９】
請求項３７に記載のシステムにおいて、前記複数の支持繊維および前記複数のコラーゲン繊維が、一緒に織られることを特徴とする、システム。
【請求項４０】
請求項３７に記載のシステムにおいて、前記支持繊維が水溶性であることを特徴とする、システム。
【請求項４１】
請求項３７に記載のシステムにおいて、前記支持繊維が生分解性であることを特徴とする、システム。
【請求項４２】
請求項３７に記載のシステムにおいて、前記複数のコラーゲン繊維および前記複数の支持繊維のコラーゲン含有量が、前記調節層の約１０％〜約５０％であることを特徴とする、システム。
【請求項４３】
請求項３７に記載のシステムにおいて、前記コラーゲン繊維および支持繊維が不織であることを特徴とする、システム。
【請求項４４】
請求項２６に記載のシステムにおいて、前記コラーゲン繊維が：
コラーゲンから形成されたステープルファイバーと；
前記支持材から形成されたステープルファイバーと
を含み、
コラーゲンで形成された前記ステープルファイバーと、前記支持材で形成された前記ステープルファイバーとが、一緒に撚り合わされて、前記コラーゲン繊維を形成することを特徴とする、システム。
【請求項４５】
請求項４４に記載のシステムにおいて、前記支持材が、ポリエチレンオキシド、アルギン酸、ポリ乳酸、ポリビニルアルコール、ポリカプララクトン、およびポリアミドからなる群から選択された１つ以上を含むことを特徴とする、システム。
【請求項４６】
請求項４４に記載のシステムにおいて、コラーゲンから形成された前記ステープルファイバーの長さが、約４ｍｍ〜約６ｍｍであることを特徴とする、システム。
【請求項４７】
請求項４４に記載のシステムにおいて、前記コラーゲン繊維のコラーゲン含有量が、前記コラーゲン繊維の総材料の約１０％〜約５０％であることを特徴とする、システム。
【請求項４８】
請求項２６に記載のシステムにおいて、さらに、前記コラーゲン繊維と交差して、前記複数の開口部を有する前記ネットワークを形成する、複数の酸化再生セルロース繊維を含むことを特徴とする、システム。
【請求項４９】
請求項４８に記載のシステムにおいて、前記メッシュの約４５％が酸化再生セルロース繊維を含むことを特徴とする、システム。
【請求項５０】
請求項４８に記載のシステムにおいて、前記メッシュの約５５％がコラーゲン繊維を含むことを特徴とする、システム。
【請求項５１】
陰圧療法環境内の組織部位におけるプロテアーゼを調節するための装置を製造する方法において、
支持材で強化された複数のコラーゲン繊維を形成するステップと；
前記複数のコラーゲン繊維を有する犠牲基質を形成するステップと；
互いの交差点において前記複数のコラーゲン繊維を互いに結合し、複数の開口部を有するコラーゲン繊維のネットワークを形成するステップと
を含み、
前記複数の開口部の前記開口部は、約０．５ｍｍ〜約５ｍｍの平均有効径を有し、前記メッシュを通る陰圧の前記流れを可能にすることを特徴とする、方法。
【請求項５２】
請求項５１に記載の方法において、前記開口部の平均面積が約０．２ｍｍ２〜約２０．０ｍｍ２であることを特徴とする、方法。
【請求項５３】
請求項５１に記載の方法において、前記開口部が、全体的に円形であり、および約１ｍｍ〜約２．５ｍｍの平均直径を有することを特徴とする、方法。
【請求項５４】
請求項５１に記載の方法において、前記コラーゲン繊維の直径が約１ミリメートル未満であることを特徴とする、方法。
【請求項５５】
請求項５１に記載の方法において、前記コラーゲン繊維の直径が約１ミクロン〜５０ミクロンであることを特徴とする、方法。
【請求項５６】
請求項５１に記載の方法において、前記ネットワークの厚さが約５ミクロン〜約２ミリメートルであることを特徴とする、方法。
【請求項５７】
請求項５１に記載の方法において、前記ネットワークの厚さが約２５ミクロンであることを特徴とする、方法。
【請求項５８】
請求項５１に記載の方法において、前記コラーゲン繊維のコラーゲン含有量が、前記コラーゲン繊維の総材料の約１０％〜約５０％であることを特徴とする、方法。
【請求項５９】
請求項５１に記載の方法において、前記コラーゲン繊維が一連のコラーゲン要素を含むことを特徴とする、方法。
【請求項６０】
請求項５１に記載の方法において、前記支持材が支持繊維を含むことを特徴とする、方法。
【請求項６１】
請求項５１に記載の方法において、前記方法が、さらに、前記支持繊維を前記複数のコラーゲン繊維と一緒に撚り合わせるステップを含むことを特徴とする、方法。
【請求項６２】
請求項５１に記載の方法において、前記支持繊維が、別個のコラーゲン要素を支持して、前記複数のコラーゲン繊維を形成することを特徴とする、方法。
【請求項６３】
請求項５１に記載の方法において、さらに、複数の支持繊維を前記複数のコラーゲン繊維に動作可能に結合するステップを含むことを特徴とする、方法。
【請求項６４】
請求項６３に記載の方法において、前記方法が、さらに、前記複数の支持繊維と前記複数のコラーゲン繊維とを一緒に織るステップを含むことを特徴とする、方法。
【請求項６５】
請求項６３に記載の方法において、前記支持繊維が水溶性であることを特徴とする、方法。
【請求項６６】
請求項６３に記載の方法において、前記支持繊維が生分解性であることを特徴とする、方法。
【請求項６７】
請求項６３に記載の方法において、前記複数のコラーゲン繊維および前記複数の支持繊維のコラーゲン含有量が、前記犠牲基質の約１０％〜約５０％であることを特徴とする、方法。
【請求項６８】
請求項６３に記載の方法において、前記コラーゲン繊維および支持繊維が不織であることを特徴とする、方法。
【請求項６９】
請求項５１に記載の方法において、前記複数のコラーゲン繊維を形成するステップが：
コラーゲンからステープルファイバーを形成するステップと；
前記支持材からステープルファイバーを形成するステップと；
コラーゲンで形成された前記ステープルファイバーと前記支持材で形成された前記ステープルファイバーとを撚り合わせて、前記コラーゲン繊維を形成するステップと
を含むことを特徴とする、方法。
【請求項７０】
請求項６９に記載の方法において、前記支持材が、ポリエチレンオキシド、アルギン酸、ポリ乳酸、ポリビニルアルコール、ポリカプララクトン、およびポリアミドからなる群から選択される１つ以上を含むことを特徴とする、方法。
【請求項７１】
請求項６９に記載の方法において、コラーゲンから形成された前記ステープルファイバーの長さが、約４ｍｍ〜約６ｍｍであることを特徴とする、方法。
【請求項７２】
請求項６９に記載の方法において、前記コラーゲン繊維のコラーゲン含有量が、前記コラーゲン繊維の総材料の約１０％〜約５０％であることを特徴とする、方法。
【請求項７３】
請求項５１に記載の方法において、さらに、前記コラーゲン繊維と交差して、前記複数の開口部を有する前記ネットワークを形成する、複数の酸化再生セルロース繊維を含むことを特徴とする、方法。
【請求項７４】
請求項７３に記載の方法において、前記メッシュの約４５％が酸化再生セルロース繊維を含むことを特徴とする、方法。
【請求項７５】
請求項７３に記載の方法において、前記メッシュの約５５％がコラーゲン繊維を含むことを特徴とする、方法。